(57)【要約】【課題】【解決手段】車輪付き輸送体に取り付けられた患者の支持体を有するロールイン型簡易ベッド１。車輪付き輸送体は、前側折畳み式脚部３及び後側折畳み式脚部４を含む。前側折畳み式脚部３及び後側折畳み式脚部４は、それぞれフレーム２と回動可能に接続された基端と、旋回自在キャスタ車輪１８Ａ、１８Ｂを有する末端とを有する。少なくとも前側折畳み式脚部３の旋回自在キャスタ１８Ａは、旋回自在モード又は係止モードの何れかにて操作可能である。旋回自在モードは、簡易ベッド１が完全に直立の状態にある間、キャスタ解放機構２２によってのみ操作可能である。
2007532402.tif 000002
【特許請求の範囲】
【請求項１】
車輪付き輸送体に取り付けられた患者の支持体を有するロールイン型簡易ベッドにおいて、車輪付き輸送体は、前側及び後側折畳み式脚部を含み、前側及び後側折畳み式脚部は、フレームと回動可能に接続された基端とストレッチャを容易に操縦するための旋回自在キャスタ車輪を有する末端とをそれぞれ備え、少なくともストレッチャの前端における旋回自在キャスタは係止可能で且つ旋回自在モード又は固定モードの何れかにて作動可能であり、旋回自在モードは、係止可能旋回自在キャスタがそれぞれの前側脚部の回りに３６０゜旋回動作するのを許容し、固定モードは、自己作動型であり、前側折畳み式脚部の旋回自在キャスタを簡易ベッドの長手方向と一致させて固定し、ロールイン型簡易ベッドを直線状に押すことができるようにする、ロールイン型簡易ベッド。
【請求項２】
請求項１に記載のロールイン型簡易ベッドであって、旋回自在モードを選ぶためのキャスタ解放組立体を更に含み、キャスタ解放組立体のレバーは、簡易ベッドの前端からアクセス可能である、ロールイン型簡易ベッド。
【請求項３】
請求項２に記載のロールイン型簡易ベッドであって、前記キャスタ解放組立体は、レバーが操作される間、キャスタを旋回自在モードに維持し得る、ロールイン型簡易ベッド。
【請求項４】
請求項２に記載のロールイン型簡易ベッドであって、レバーを操作された位置から解放することにより、簡易ベッドは自動的に固定モードに配置され、固定モードにおいて、簡易ベッドの前方へのあらゆる運動により、前側脚部の係止可能旋回自在キャスタがそれぞれの脚部の回りに回転され、一旦長手方向に整合されたならば、キャスタ解放組立体が、前側キャスタを積み込み方向に向けて自動的且つ確実に係止する、ロールイン型簡易ベッド。
【請求項５】
請求項２に記載のロールイン型簡易ベッドであって、キャスタ解放組立体は、簡易ベッドが完全に上昇した位置にあるとき、簡易ベッドを旋回自在モードに配置するようのみ作動する、ロールイン型簡易ベッド。
【発明の詳細な説明】
【技術分野】
【０００１】
本発明は、患者を輸送するために使用される型式のもののような、非常用簡易ベッド（emergency cot）に関する。特に、本発明は、自己係止可能旋回自在キャスタ車輪（self-locking swivel castor wheel）を有する、救急車のような緊急用車にて使用される型式の折畳み式脚部を備えるロールイン型簡易ベッドに関する。
【背景技術】
【０００２】
ストレッチャ（stretcher；担架）にて患者を支持するためロールイン（roll-in;転がり込む）型非常用簡易ベッドが使用され、ストレッチャは、車輪付き車台又は輸送体に取り付けられる。一人の患者が、一人のオペレータにより非常用簡易ベッド上にて操作されるか又は車輪付き輸送体にて別のオペレータの助けを受けて操作される。ロールイン型非常用簡易ベッドは、救急車、ライトバン、ステーションワゴン、モジュール型救助車、航空機、ヘリコプター及び同様のもののような、各種型式の救助車内にロールイン型に入れることができるような形態とされる。非常用簡易ベッドをかかる車両にロールイン型に入れることができるようにするため、簡易ベッドは、全体として、患者を輸送すべき緊急用車内でプラットフォームの高さと同様の高さにてストレッチャを支持し得る形態とされる。車台又は輸送体は、ストレッチャの下方となるように折り畳まれ、且つプラットフォーム上に支持される。
【発明の開示】
【発明が解決しようとする課題】
【０００３】
ロールイン型非常用簡易ベッドには、典型的に、簡易ベッドの可動性を向上させ得るよう支持構造体の下端に旋回自在キャスタ車輪が設けられている。典型的に、前側又は前方対の車輪は、係止型旋回自在キャスタであり、該旋回自在キャスタは、ストレッチャが非係止状態とされたとき、非長手方向に動き、また、係止状態とされたとき、その長手方向に動くことを許容する。典型的に、係止した位置には、簡易ベッドを緊急用車内に積み込むとき、係合する。
【０００４】
典型的に、旋回自在妨害ピンが脚部の外側に取り付けられる。妨害ピンは、キャスタと係合してキャスタが脚部の回りにて旋回自在動作するのを選択的に阻止する。しかし、キャスタの旋回自在動作を阻止するためには、キャスタの位置を妨害ピンに対して整合させ妨害ピンをキャスタと手操作にて係合させることがしばしば必要となる。このことは、このストレッチャを非常用車内に挿入する間、非常状況のとき見落とされ得る余分なステップを加えることになる。先行技術の装置は、医療従事者がキャスタの作動モードを遠方から選ぶことを許容するケーブルを介して妨害ピンを作用させる、キャスタの係止制御組立体を提供することにより、この問題点を解決しようと試みている。
【０００５】
かかる装置は、国際出願公開明細書ＰＣＴ／ＵＳ００／０７５２２号により開示される。この公開された出願において、制御組立体は、ストレッチャの各側部に設けられたバレルスイッチを回すことにより、キャスタを旋回自在動作状態又は固定方向の何れかにて係止する。その結果、かかるキャスタ係止制御組立体を有する簡易ベッドを救急車の後部に積み込むとき、救助隊員がバレルスイッチの１つを係止位置まで回すのを忘れたならば、簡易ベッドを取り外す際、地面と接触したとき、対の旋回自在キャスタのかかる非長手方向への動きによって簡易ベッドが傾く可能性がある。従って、係止可能旋回自在キャスタ車輪を有する、救急車のような緊急用車にて使用される型式の、折畳み式脚部を備える簡易ベッドを改良することが必要とされる。
【課題を解決するための手段】
【０００６】
本発明は、上述した不利益な点の１つ以上を解決し又は緩和し、或いは、ユーザに対し有益な又は商業的選択を少なくとも提供する、前側折畳み式脚部の係止可能旋回自在キャスタ車輪の作用を簡略化することを可能にする非常用簡易ベッドを提供するものである。
【０００７】
本発明の第一の広い形態において、車輪付き輸送体に取り付けられた患者の支持体を有するロールイン型簡易ベッドが提供され、車輪付き輸送体はフレームに回動可能に接続されたそれぞれの基端、及びストレッチャを容易に操縦するため旋回自在動作キャスタ車輪を含む末端を有する前側及び後側折畳み式脚部（collapsible legs）を備える。ストレッチャの前端の旋回自在キャスタはまた、係止可能で、且つ旋回自在モード又は固定モードの何れかにて操作可能である。旋回自在モードは、係止可能旋回自在キャスタがそれらのそれぞれの前側脚部の回りにて３６０°旋回自在動作するのを許容する。固定モードは自己作動式であり、前側折畳み式脚部の旋回自在キャスタを簡易ベッドの長手方向と直線状に固定し、ロールイン型簡易ベッドを直線状に押すことができるようにする。
【０００８】
本発明は、医療従事者がキャスタの旋回自在モードを容易に選ぶことを許容するキャスタの解放組立体を提供する。キャスタの解放組立体は、簡易ベッドの前端からアクセス可能で、且つ前側キャスタを固定モードから解放する。その結果、人はキャスタ解放組立体を作動させるため簡易ベッドの前端に又は前端に隣接する位置に居る必要がある。
【０００９】
医療従事者は、設けられた手操作レバーを強く把持することにより解放組立体を作動させる。レバーが操作されると、解放組立体はキャスタを旋回自在モードに維持する。人を緊急用車内に積み込むときのように、レバーを解放すると、簡易ベッドは固定モードに配置される。この固定モードにおいて、簡易ベッドの全ての前方への動きは、キャスタをそのそれぞれの脚部の回りにて回転させ、また、長手方向に整合されたならば、解放組立体は、自動的に、且つ確実に前側キャスタを積み込み方向に係止する。このことは、医療従事者が簡易ベッドを非常用車内に積み込むとき、知らずにキャスタを係止し忘れるのを防止する。手操作レバーは、簡易ベッドがその完全に持ち上がった位置にあるとき、簡易ベッドを旋回自在モードに配置するようのみ作用する。このことは、簡易ベッドを緊急用車に積み込み又は積み降ろすときのように、簡易ベッドが下方位置又は最下方位置にあるとき、旋回自在ロック機構が偶発的に作動されるのを防止することになる。
【発明を実施するための最良の形態】
【００１０】
本発明をより完全に理解し且つ実施することができるようにするため、以下に、本発明の色々な実施の形態を添付図面を参照しつつ説明する。本発明の好ましい実施の形態の以下の詳細な説明は、同様の構造体を同様の参照番号にて表示する添付図面と共に読むとき、最も良く理解することができる。図１には、その上に前側対の折畳み式脚部３及び後側対の折畳み式脚部４が回動可能に取り付けられたフレーム２から形成された全体として参照番号１で示したロールイン型簡易ベッドが示される。この開示の目的のため、図２ａ、図３ａ及び図４に示したロールイン簡易ベッド１の左端部は後端であり、簡易ベッドの右端部は積み込み端部と見なす。ロールイン簡易ベッド１の右方向への動きは前方への動きであり、左方向への動きは後方への動きである。
【００１１】
図示した完全に持ち上がった状態にあるとき、ロールイン簡易ベッド１は、前側対の折畳み式脚部３及び後側対の折畳み式脚部４上に支持される。前側及び後側折畳み式脚部３、４は、それぞれ典型的に、各々フレームの両側部にて１つずつ１対の脚部を形成し、積み込んだ簡易ベッド１に対する安定性を提供する。１つの実施の形態において、前側対の脚部３は、後側対の脚部４よりもより長い又は短い距離だけ隔てられており、折り畳んだ状態において、それぞれ対の脚部を入れ子式の形態に折り畳むこともできる。１つの代替的な形態は、各々がその末端にて隔たった車輪を有する単一の前側脚部及び（又は）単一の後側脚部を採用する。図示した実施の形態において、それぞれ対の折畳み式脚部３、４はまた、斜角を成すように拡げられる、すなわち、前側対の折畳み式脚部は前方に角度が付けられ、後側対の折畳み式脚部は後方に角度が付けられる。しかし、１つの代替的な実施の形態において、垂直脚部を使用することができる。
【００１２】
前側対の折畳み式脚部３は、フレーム２に係止された支持支柱５によって所要位置に係止される。後側対の折畳み式脚部は、フレーム２に係止された支持支柱６２より所要位置に係止される。係止された状態にあるとき、対の脚部３、４は、直立の状態に保持され、脚部解放部又は安全部の何れかを不作動にしても脚部が折り畳まれることはない。
【００１３】
対の脚部３、４を折り畳むため、バー９をロールイン型簡易ベッド１に対して後方に動かすことにより、バー９を作動させるハンドル８によって解放組立体７を作動させる。バー９を後方向に動かすべくハンドル８を操作すると、バー９は、フレーム及びバー９の双方に回動可能に取り付けられたアーム１０によって側方向に変位される。解放組立体７は、緊急用車１９（図２ａ）のようなプラットフォームの後部と係合するための接触バー１１も有している。接触バー１１を作用させると、カム１２はフレーム２にて回転する。カム１２をフレーム２にて回転させると、バー９は側方向に向けて更に動き、これにより後側対の脚部４が折り畳まれるのを許容する。同様の脚部解放部及び安全機構を前側対の脚部３に設けることができる。接触バー１１の機構及び作用は、その内容を参考として引用し本明細書に含めた同時出願され、且つ当該出願人が保有する、２００３年９月２６日付で出願された国際出願公開明細書ＵＳ  ０３／３０４２９号に開示される。
【００１４】
フレーム２は、前側対の折畳み式脚部３及び後側対の折畳み式脚部４の前側空間にも設けられた積み込み車輪１３を更に有している。ロールイン簡易ベッド１はまた、明確のため、車輪付き輸送体１５から取り外した患者の支持体１４も有している。本発明のロールイン型簡易ベッドにて使用される患者の支持体１４は、任意の便利な形態とすることができる。望ましくは、患者の支持体１４はストレッチャの形態とする。
【００１５】
しかし、椅子又は同様のもののようなその他の患者の支持体の形態を使用することが可能であることも理解されよう。１つの実施の形態において、患者の支持体１４は、セグメント化されたストレッチャの形態をしており、これによりそれぞれのセグメントを患者に対し改良された支持体を提供し得るような形状とすることができる。別の実施の形態における患者の支持体１４は、車輪付き輸送体１５に取り外し可能に取り付けられる。更に別の実施の形態における患者の支持体１４は、車輪付き輸送体１５のフレームに脱着可能に取り付けることのできる取り外し可能なストレッチャである。別の実施の形態において、患者の支持体１４は、車輪付き輸送体１５に恒久的に固定される。
【００１６】
車輪付き輸送体１５は、任意の便宜な形態とすることができ、また、ロールイン型簡易ベッドを緊急用車内に容易に積み込むことができるよう高さが調節可能であることが好ましい。フレーム２は、また、患者の輸送体と関係付けることのできる医療器具を取り付けるための装置を含むことができる。例えば、フレーム２は、酸素シリンダ、心臓監視装置、ＩＶポール及び同様のものを保持するための受容部又は連結ポートを有することができる。
【００１７】
１つの実施の形態において、それぞれの対の折畳み式脚部３、４には、それぞれ対の折畳み式脚部を安定化させるべくその間を伸びる支え部材１６、１７が設けられる。更に、脚部の各々の末端には、旋回自在キャスタ車輪１８ａ、１８ｂが設けられる。ロールイン型簡易ベッド１の前端における旋回自在キャスタ１８ａは、係止可能とし、且つ旋回自在モード又は固定モードの何れかにて作用する。旋回自在モードは、係止可能旋回自在キャスタ１８ａがそれらのそれぞれの前側脚部の回りにて３６０゜旋回自在に動くのを許容する。固定モードは、自己作動型で、且つ前側折畳み型脚部の係止可能旋回自在キャスタ１８ａを簡易ベッドの長手方向と直線状に固定し、ロールイン型簡易ベッド１を容易に直線状に押すことができるようにする。
【００１８】
本発明は、ロールイン型簡易ベッド１に対して前側折畳み式脚部３の旋回自在キャスタ車輪１８ａの簡略化した作用を提供することを理解すべきである。医療従事者は、キャスタ解放組立体２２（図２ｂ、図３ｂ、図６ａ及び図６ｂにより最も良く示す）の手操作レバー２０を作用させることにより、旋回自在モードを容易に選ぶ。手操作レバー２０は、簡易ベッド１の前端からアクセス可能で、且つ前側キャスタ１８ａを固定モードから解放するため使用される。その結果、人は、キャスタ解放組立体２２を作動させるため簡易ベッド１の前端に又は前端に隣接する位置に居る必要がある。
【００１９】
医療従事者は、手操作レバー２０を強く握り締めることにより、キャスタ解放組立体２２を作動させる。レバー２０を強く握ると、図２ｂに示すように、アクチュエータ２４は、キャスタ解放組立体２２の解放バー２８の打撃板２６内に移動する。打撃板２６を動かすと、解放バー２８は回転し、この解放バー２８は、図５及び図６ａにより最も良く示すように、ピン３０と各係止可能旋回自在キャスタ１８ａの静止板３２との間の締まり嵌め状態を解放する。
【００２０】
レバー２０が作動される限り、解放組立体２２は、キャスタを旋回自在モードに維持する。図２ａ、図２ｂ及び図４にて示すように人間を緊急用車内に積む込むときのように、レバー２０を解放すると、簡易ベッドは固定モードに配置される。固定モードにおいて、簡易ベッドの全ての前方の動きにより係止可能旋回自在キャスタ１８ａは、それらのそれぞれの脚部の回りを回転し、また、長手方向に整合されたならば、解放組立体は、前側キャスタを積み込み方向に向けて自動的に、且つ確実に係止する。
【００２１】
図５に最も良く示すように、レバー２０が解放された状態にてキャスタ１８ａがそのそれぞれの脚部の回りにて回転すると、ピン３０は、ばね３６により提供される偏倚力のため静止ピン３２内に設けられたキャビティ３４ａ、３４ｂ内に再度着座する。静止板３２のキャビティ３４ａ、３４ｂは、簡易ベッドが直線状にロールすることができるようにキャスタ車輪１８ａを相対的な位置に配置し得るよう配置される。
【００２２】
手操作レバー２０は、簡易ベッドがその完全に上昇した位置にあるときに旋回自在モードにおいて簡易ベッド１を配置するようのみ作用することを理解すべきである。図２ｂ、図３ｂ、図６ａ及び図６ｂにより示すように、簡易ベッドが図３ａにより示すように緊急用車１９内にロールするときのように、前側対の脚部が後方に移動し、簡易ベッドの下方にて簡易ベッドの脚部が完全に積み込んだ位置に向けて移動するとき、解放バー２８の打撃板２６は、アクチュエータ２４から回転して離れる。この態様にて、脚部３が完全に直立の位置から移動すると直ちに、アクチュエータ２４及び打撃板２６は分離し、ロールイン型簡易ベッドが積み込み位置まで移動する間、キャスタ解放組立体２２は不作動である。従って、レバー２０を操作しても何らの効果も生じない。このことは、簡易ベッドを緊急用車に積み込み又は緊急用車から積み降ろすようなとき、簡易ベッド１が下方又は最下方位置にある状態にて係止可能旋回自在キャスタを偶発的に作動させ、且つ解放するのを防止する。好ましい実施の形態を参照することにより本発明を詳細に説明したが、特許請求の範囲に規定された本発明の範囲から逸脱せずに、改変例及び変更例が可能であることは明らかであろう。
【図面の簡単な説明】
【００２３】
【図１】完全に伸長した位置にある本発明の１つの実施の形態に従ったロールイン型簡易ベッドの正面斜視図である。
【図２】図２ａは、緊急用車内に完全に積み込む前の位置にある図１のロールイン型簡易ベッドの側面図である。図２ｂは、操作可能な位置にあるキャスタ解放組立体の位置を示す、図２ａのロールイン型簡易ベッドの底面斜視図である。
【図３】図３ａは、緊急用車に配置された部分的に積み込んだ位置にある図１のロールイン型簡易ベッドの側面図である。図３ｂは、不作動位置にあるキャスタ解放組立体の位置を示す図３ａのロールイン型簡易ベッドの底面断面斜視図である。
【図４】緊急用車に配置され完全に積み込んだ位置にある図１のロールイン型簡易ベッドの側面図である。
【図５】本発明によるキャスタ解放組立体の一部分の分解図である。
【図６】図６ａは、アクチュエータが解放バーに係合することができる唯一の位置である、完全に伸びた位置にロールイン型簡易ベッドがあるとき、解放バーに対して配置されたアクチュエータを示す、本発明によるキャスタ解放組立体の第一の拡大部分断面図である。図６ｂは、本発明によるキャスタ解放組立体の第二の拡大部分断面図であり、ロールイン型簡易ベッド積み込み脚部が簡易ベッドの下方にて完全に積み込んだ位置まで移動するとき、キャスタ解放組立体が操作不能であるように、解放バーがアクチュエータから回転して離れる図である。
【図１】
2007532402.tif 000003
【図２ａ】
2007532402.tif 000004
【図２ｂ】
2007532402.tif 000005
【図３ａ】
2007532402.tif 000006
【図３ｂ】
2007532402.tif 000007
【図４】
2007532402.tif 000008
【図５】
2007532402.tif 000009
【図６ａ】
2007532402.tif 000010
【図６ｂ】
2007532402.tif 000011
【国際調査報告】
2007532402.tif 000012
2007532402.tif 000013
2007532402.tif 000014